(57)【要約】【課題】建築物に養生シートを短時間で被せることができ、養生シートの周縁部下方で作業する作業員や足場を天候から保護し、建築作業の迅速化や容易化に資する建築物の建築装置及びその取扱方法を提供する。【解決手段】建設予定地１に仮設される足場１０と、足場１０を覆う養生シート２０と、養生シート２０用の支柱３０とを備え、足場１０の上部に複数の滑車１４を間隔をおき支持させ、養生シート２０を、足場１０を被覆可能な大きさとし、養生シート内面の中央部２１から周縁部方向にかけ、複数の滑車１４に摺接可能な吊り上げベルトを放射状に縫着し、支柱３０を建設予定地１と住宅２のいずれかに立設してその上端部３１を養生シート２０内に接触可能とし、滑車１４に吊り上げベルトを巻回して引っ張ることにより、養生シート２０を吊り上げて足場１０を被覆し、足場１０の水平方向外側を養生シート２０の周縁部で被覆する。【選択図】図１
2014214451.tif 000002
【特許請求の範囲】
【請求項１】
建設予定地とそこに建築される建築物の周囲のいずれかに仮設される足場と、この足場を覆う養生シートと、この養生シートを支持する支柱とを備えた建築物の建築装置であって、
足場の上部に複数の滑車を間隔をおいて回転可能に支持させ、
養生シートを、足場を上方から被覆可能な大きさとし、この養生シートの内面の略中央部から周縁部方向にかけて、足場の複数の滑車に接触する複数の操作用線条体を放射状に設け、
支柱を建設予定地と建築物のいずれかに立て設け、この支柱の上部を養生シートの内面に接触可能とし、
足場の複数の滑車に養生シートの操作用線条体を巻きかけて引っ張ることにより、養生シートを吊り上げて足場を上方から被覆し、足場の水平方向外側を養生シートの周縁部で被覆するようにしたことを特徴とする建築物の建築装置。
【請求項２】
養生シートの略中央部を開口させ、養生シートの外面に、養生シートの開口した略中央部に対向する傘シートをスペーサを介して取り付け、傘シートの内面に支柱の上部を接触させることにより、養生シートと傘シートとの間に通気口を区画形成した請求項１記載の建築物の建築装置。
【請求項３】
足場を、建設予定地あるいは建築物の周囲に立て設けられ、横方向に間隔をおいて配列される複数のパイプと、この複数のパイプに支持されて横方向に伸び、上下方向に間隔をおいて並ぶ複数の単管と、これら複数のパイプと単管の少なくともいずれかに支持される複数の踏み板とから構成し、
足場の複数のパイプと単管のうち、少なくとも任意のパイプの上部に滑車を支持させるとともに、この滑車の周面周方向に、操作用線条体に摺接可能な溝を形成し、養生シートの複数の操作用線条体の端部を養生シートの周縁部から外方向に伸ばし、足場の複数の滑車の溝に養生シートの操作用線条体を巻きかけて引っ張るようにした請求項１又は２記載の建築物の建築装置。
【請求項４】
足場を、建設予定地あるいは建築物の周囲に立て設けられ、横方向に間隔をおいて配列される複数のパイプと、この複数のパイプに支持されて横方向に伸び、上下方向に間隔をおいて並ぶ複数の単管と、これら複数のパイプと単管の少なくともいずれかに支持される複数の踏み板とから構成し、
足場の複数のパイプと単管のうち、少なくとも任意のパイプの上部に滑車を支持させてその周面周方向には、操作用線条体に摺接可能な溝を形成し、養生シートの複数の操作用線条体の端部に別の操作用線条体を接続し、足場の複数の滑車の溝に養生シートの別の操作用線条体を巻きかけて引っ張るようにした請求項１又は２記載の建築物の建築装置。
【請求項５】
養生シートの内面の少なくとも複数の対角線上に操作用線条体をそれぞれ取り付け、複数の操作用線条体を養生シートの略中央部で交差させるようにした請求項１ないし４いずれかに記載の建築物の建築装置。
【請求項６】
請求項１ないし５いずれかに記載した建築物の建築装置の取扱方法であって、建設予定地とそこに建築される建築物の周囲のいずれかに足場を仮設してその上部には回転可能な複数の滑車を間隔をおいて支持させ、足場の内側に養生シートを配置してその複数の操作用線条体を足場の複数の滑車を介して引っ張ることにより、養生シートを吊り上げて足場を上方から被覆するとともに、足場の水平方向外側を養生シートの周縁部で被覆し、建設予定地と建築物のいずれかに支柱を立て設け、この支柱の上部に養生シートの内面を支持させることを特徴とする建築物の建築装置の取扱方法。
【発明の詳細な説明】
【技術分野】
【０００１】
本発明は、個人の住宅等の建築に用いられる建築物の建築装置及びその取扱方法に関するものである。
【背景技術】
【０００２】
従来、個人の住宅を建築する場合には図示しないが、先ず、基礎に土台を敷設して一階用の床面を施工し、この一階用の床面に一階用の複数の壁を立て起こして垂直に固定する。このような作業要領で住宅の二階部分を構築し、最後に天井と屋根とを組めば、住宅を建築することができる。この住宅の建築には、多数の木材と断熱材とが使用され、木材として、寸法精度等に優れるランバー材が一般的に使用される。
【０００３】
ところで、住宅の建築工事には日数を要するので、住宅の完成までに太陽光、雨、風、雪等が影響すると、直射日光や湿気、汚れ等により、住宅の品質が低下するおそれがある。例えば、住宅の外壁にモルタルを塗布して意匠性を向上させる場合に、モルタルが直射日光に晒されると、モルタルにひび割れの生じることがある。また、住宅を枠組壁工法（２×４工法）で建築する場合に、建築資材に雨や雪が降ると、気密性や断熱性が低下し、枠組壁工法による長所を喪失するおそれが少なくない。
【０００４】
この点に鑑み、従来においては、天候に応じ、建築途中の住宅の全部あるいは一部に必要枚数の養生シートを被せ、環境を整備して建築途中の住宅を天候から保護する手法が採用されている。
しかしながら、建築途中の住宅の上部や周囲等に複数枚の養生シートを全て手作業で重ねて被覆すると、被覆作業に長時間を要し、しかも、手間がかかり、非常に煩雑であるという問題が生じる。
【０００５】
そこで、出願人は、住宅に養生シートを短時間で容易に被せることのできる建築物の建築装置を提案した（特許文献１参照）。この建築物の建築装置は、図示しないが、建設予定地とそこに建築される住宅の周囲のいずれかに仮設される足場と、この足場の四隅部にそれぞれ取り付けられる滑車と、足場内に展開される養生シートとを備え、養生シートの対角線上にロープを伸ばして接続し、足場の複数の滑車に、養生シートに接続したロープをそれぞれ巻回して引っ張ることにより、養生シートを吊り上げて住宅の少なくとも上部を被覆する装置である。
【先行技術文献】
【特許文献】
【０００６】
【特許文献１】特開２０１３−１１０９６号公報
【発明の概要】
【発明が解決しようとする課題】
【０００７】
出願人の提案した建築物の建築装置は、住宅に養生シートを短時間で容易に被せることができるものの、足場の内側に養生シートが展開して配置されるので、住宅の壁と足場との間に養生シートの周縁部が介在され、足場が太陽光、雨、風、雪等に晒されることとなる。この結果、足場の作業員が太陽光、雨、風、雪等に晒されるので、建築作業に支障を来すおそれが考えられる。また、養生シートの周縁部下方で作業員が作業する際、養生シートの周縁部をつたう雨や雪で作業員が濡れ、建築作業の遅延等を招くおそれも考えられる。
【０００８】
本発明は上記に鑑みなされたもので、建築物に養生シートを短時間で被せることができ、しかも、養生シートの周縁部下方で作業する作業員や足場を天候から保護し、建築作業の迅速化や容易化を図ることのできる建築物の建築装置及びその取扱方法を提供することを目的としている。
【課題を解決するための手段】
【０００９】
本発明においては上記課題を解決するため、建設予定地とそこに建築される建築物の周囲のいずれかに仮設される足場と、この足場を覆う養生シートと、この養生シートを支持する支柱とを備えた装置であって、
足場の上部に複数の滑車を間隔をおいて回転可能に支持させ、
養生シートを、足場を上方から被覆可能な大きさとし、この養生シートの内面の略中央部から周縁部方向にかけて、足場の複数の滑車に接触する複数の操作用線条体を放射状に設け、
支柱を建設予定地と建築物のいずれかに立て設け、この支柱の上部を養生シートの内面に接触可能とし、
足場の複数の滑車に養生シートの操作用線条体を巻きかけて引っ張ることにより、養生シートを吊り上げて足場を上方から被覆し、足場の水平方向外側を養生シートの周縁部で被覆するようにしたことを特徴としている。
【００１０】
なお、養生シートの略中央部を開口させ、養生シートの外面に、養生シートの開口した略中央部に対向する傘シートをスペーサを介して取り付け、傘シートの内面に支柱の上部を接触させることにより、養生シートと傘シートとの間に通気口を区画形成することができる。
【００１１】
また、足場を、建設予定地あるいは建築物の周囲に立て設けられ、横方向に間隔をおいて配列される複数のパイプと、この複数のパイプに支持されて横方向に伸び、上下方向に間隔をおいて並ぶ複数の単管と、これら複数のパイプと単管の少なくともいずれかに支持される複数の踏み板とから構成し、
足場の複数のパイプと単管のうち、少なくとも任意のパイプの上部に滑車を支持させるとともに、この滑車の周面周方向に、操作用線条体に摺接可能な溝を形成し、養生シートの複数の操作用線条体の端部を養生シートの周縁部から外方向に伸ばし、足場の複数の滑車の溝に養生シートの操作用線条体を巻きかけて引っ張ることができる。
【００１２】
また、足場を、建設予定地あるいは建築物の周囲に立て設けられ、横方向に間隔をおいて配列される複数のパイプと、この複数のパイプに支持されて横方向に伸び、上下方向に間隔をおいて並ぶ複数の単管と、これら複数のパイプと単管の少なくともいずれかに支持される複数の踏み板とから構成し、
足場の複数のパイプと単管のうち、少なくとも任意のパイプの上部に滑車を支持させてその周面周方向には、操作用線条体に摺接可能な溝を形成し、養生シートの複数の操作用線条体の端部に別の操作用線条体を接続し、足場の複数の滑車の溝に養生シートの別の操作用線条体を巻きかけて引っ張ることもできる。
【００１３】
また、養生シートの内面の少なくとも複数の対角線上に操作用線条体をそれぞれ取り付け、複数の操作用線条体を養生シートの略中央部で交差させることが可能である。
また、養生シートの周縁部に補助シートを着脱自在に接続し、この補助シートにより足場の水平方向外側の被覆範囲を拡大することが可能である。
【００１４】
また、養生シートと傘シートのうち、少なくとも養生シートを、ポリエステル樹脂製のシート、塩化ビニル樹脂製のシート、エチレン酢酸ビニル樹脂製のシート、あるいはポリエステル樹脂製のシートに塩化ビニル樹脂製のシートがコーティングされたシートとすることも可能である。
【００１５】
また、本発明においては上記課題を解決するため、請求項１ないし５いずれかに記載した建築物の建築装置の取扱方法であって、
建設予定地とそこに建築される建築物の周囲のいずれかに足場を仮設してその上部には回転可能な複数の滑車を間隔をおいて支持させ、足場の内側に養生シートを配置してその複数の操作用線条体を足場の複数の滑車を介して引っ張ることにより、養生シートを吊り上げて足場を上方から被覆するとともに、足場の水平方向外側を養生シートの周縁部で被覆し、建設予定地と建築物のいずれかに支柱を立て設け、この支柱の上部に養生シートの内面を支持させることを特徴としている。
【００１６】
ここで、特許請求の範囲における建築物は、個人の住宅が主ではあるが、特に限定されるものではなく、各種の建物や家屋（例えば、事務所、店舗、倉庫、畜舎等）が含まれ、建築途中の構造体でも良い。建築物が住宅の場合、住宅の建築には、木造軸組工法、枠組壁工法、鉄筋コンクリート工法等の工法が用いられる。
【００１７】
足場には、枠組足場、単管足場、ブラケット一側足場、くさび緊結式足場、張出し足場等の種類があるが、特に限定されるものではない。また、養生シートは、建築物の新築や改装時に使用することができる。この養生シートの周縁部は、足場の水平方向外側の上部等の一部を被覆するものでも良いし、大分部や全部を被覆するものでも良い。養生シートの複数の操作用線条体には、少なくとも吊り上げ用のベルト、ロープ、又はワイヤ等が含まれる。複数の操作用線条体は、養生シートの略中央部で交差することが好ましい。
【００１８】
本発明によれば、建築物と足場との間に養生シートの周縁部が介在するのではなく、足場の水平方向外側に養生シートの周縁部が位置し、被覆するので、足場が太陽光、雨、風、雪等に晒されることが少ない。また、建築物と足場の間で作業する作業員等が養生シートの周縁部をつたう雨や雪等で濡れることも少ない。
【発明の効果】
【００１９】
本発明によれば、建築物に養生シートを短時間で被せることができるという効果がある。また、養生シートの周縁部下方で作業する作業員や足場を天候から保護することにより、建築作業の迅速化や容易化を図ることができる。
【００２０】
また、請求項２記載の発明によれば、養生シートと傘シートの間に通気口を区画し、養生シートの内外に空気を流通させるので、例えば強風が養生シートの下部から内部上方に侵入しても、強風を養生シートの上部から外部に流出させることができ、養生シートが暴れて体裁が悪化するのを防止することができる。
【００２１】
また、請求項３又は４記載の発明によれば、足場の少なくとも任意のパイプの上部に滑車を支持させ、この滑車の周面周方向に、操作用線条体に摺接可能な溝を形成するので、操作用線条体の操作が容易となり、しかも、操作用線条体が位置ずれして養生シートの吊り上げ操作に支障を来すのを防止することが可能になる。
【００２２】
請求項５記載の発明によれば、養生シートの複数の対角線上に操作用線条体を沿わせるので、養生シートを吊り上げる際、養生シートの大部分を平面略矩形に整え、建築する建築物を上方から有効に保護することが可能になる。また、養生シートの略中央部で複数の吊り上げベルトが交差し、強度を高めるので、開口した略中央部から養生シートが裂けて損傷するのを防ぐことが可能になる。
【図面の簡単な説明】
【００２３】
【図１】本発明に係る建築物の建築装置及びその取扱方法の実施形態を模式的に示す全体説明図である。
【図２】本発明に係る建築物の建築装置及びその取扱方法の実施形態における建築途中の住宅に支柱を立設した状態を模式的に示す全体説明図である。
【図３】本発明に係る建築物の建築装置及びその取扱方法の実施形態における足場の滑車と養生シートの吊り上げベルトとの関係を模式的に示す説明図である。
【図４】本発明に係る建築物の建築装置及びその取扱方法の実施形態における足場のパイプと滑車との関係を模式的に示す側面説明図である。
【図５】本発明に係る建築物の建築装置及びその取扱方法の実施形態を模式的に示す正面説明図である。
【図６】本発明に係る建築物の建築装置及びその取扱方法の実施形態における養生シートを模式的に示す裏面説明図である。
【発明を実施するための形態】
【００２４】
以下、図面を参照して本発明の好ましい実施の形態を説明すると、本実施形態における建築物の建築装置は、図１ないし図６に示すように、建設予定地１とそこに建築される住宅２の周囲のいずれかに仮設される足場１０と、この足場１０を覆う養生シート２０と、この養生シート２０を支持する支柱３０とを備え、足場１０の複数の滑車１４に養生シート２０の操作用線条体である吊り上げベルト２２をそれぞれ巻回して引っ張ることにより、養生シート２０を吊り上げて足場１０を上方から被覆し、足場１０の水平方向外側を養生シート２０の周縁部で外側から被覆するようにしている。
【００２５】
建設予定地１の住宅２は、例えば建設予定地１に枠組壁工法で新築される二階建ての個人住宅からなり、一階部分と二階部分とが順次構築され、最後に天井と屋根とが組まれる。この住宅２の建築には、多数の木材、断熱材、壁パネル、及び天井パネル等が使用され、木材として、強度や寸法精度等に優れる乾燥したランバー材が一般的に使用される。
【００２６】
各壁パネルは、図示しないが、例えば木製の壁枠と、寸法安定性等に優れ、壁枠の外面を下地材として被覆する複数の構造用合板と、壁枠の内面を被覆する安価な複数の石膏ボードと、壁枠に内蔵される配線パーツと、壁枠に複数内蔵される高性能のグラスウールと、壁枠と石膏ボードとの間に介在して挟まれる防湿気密フィルムとを備え、予め工場で製造された後に現場に複数枚輸送され、住宅２の床面等に締結具を介して接合固定される。
【００２７】
壁パネルは、建築現場への輸送前にユニット化され、壁枠の上下部間に第一の仕切り材が、壁枠の両側部間には第二の仕切り材がそれぞれ架設されており、これら第一、第二の仕切り材が組み合わされて複数の空間を区画するとともに、各空間に耐熱性のグラスウールが充填される。壁枠の下部と複数の石膏ボードの下部下面との間にはシール用の隙間が形成され、壁枠と複数の石膏ボードとの間から防湿気密フィルムの少なくとも下部が露出して構造用合板方向に伸長されており、防湿気密フィルムの少なくとも下部下端が壁枠の下部下面に重ねられる。
【００２８】
足場１０は、図１や図２に示すように、住宅２の建設予定地１あるいは住宅２周囲の地面にベースを介し立設されて横方向に間隔をおいて配列される複数本のパイプ１１と、この複数本のパイプ１１間に略水平に架設されて横方向に伸び、上下方向に間隔をおいて並ぶ複数本の単管と、これら複数本のパイプ１１と単管とに略水平に架設支持される複数枚の踏み板１２と、上下に隣接する複数本の単管間に斜めに架設される複数本の筋交とを備え、建築される住宅２を囲むよう平面略枠形に仮設される。
【００２９】
複数のパイプ１１、単管、踏み板１２、及び筋交は、クランプ金具により着脱自在に螺着固定される。複数本のパイプ１１のうち、足場１０や踏み板１２の水平方向外側に位置するパイプ１１は、足場１０や踏み板１２の水平方向内側に位置するパイプ１１よりも高く立設されることが好ましい（図１や図２参照）。各パイプ１１は、各種の金属を用いて円筒形に形成され、外周面に略Ｃ字形、略Ｊ字形、略Ｌ字形、あるいは略Ｕ字形のフックが複数形成されており、この複数のフックに養生シート２０の周縁部がロープやゴム等を介して固定される。
【００３０】
足場１０の少なくとも四隅部と二隅部間の外側に位置する複数本のパイプ１１の上端部、好ましくは足場１０の水平方向外側に位置する全パイプ１１の上端部には図３ないし図５に示すように、円筒形の接続パイプ１３が着脱自在に嵌合支持され、この接続パイプ１３の上端部には、養生シート２０の内面に摺接可能な滑車１４が回転自在に装着される。
【００３１】
各滑車１４は、接続パイプ１３の上端部に螺着され、上下方向に回転可能に支持されるだけでなく、接続パイプ１３の周方向にも回転可能に支持される。各滑車１４の周面周方向には、養生シート２０の吊り上げベルト２２に摺接可能な嵌合溝１５が凹み形成され、この嵌合溝１５が吊り上げベルト２２に嵌合摺接してその位置ずれを防止するよう機能する。
【００３２】
養生シート２０は、例えば可撓性を有する各種の薄い樹脂シートにより平面矩形に形成され、住宅２、及び足場１０の上部と周囲外側の少なくとも一部とを被覆可能な大きさを有する。具体的な樹脂シートとしては、強度や耐候性等に優れる安価なポリエステル樹脂製のシート、耐水性等に優れる塩化ビニル樹脂製のシート、柔軟性や弾性等に優れるエチレン酢酸ビニル樹脂製のシート、又はこれらを適宜積層してコーティングされたシート（例えば、ポリエステル樹脂製のシートの表裏面、表面、又は裏面に塩化ビニル樹脂製のシートがコーティングされたシート）等があげられる。
【００３３】
養生シート２０は、住宅２や足場１０を一枚で被覆可能な大きさ、具体的には１０ｍ×１０ｍ〜１５ｍ×１７ｍ〜２０ｍ×３０ｍの平面長方形あるいは正方形に形成される。この養生シート２０の周縁部には、図示しない複数の取付孔が間隔をおき並べて穿孔され、この複数の取付孔に別体の補助シートが必要に応じて接続される。補助シートは、例えば養生シート２０と同様の材料により形成され、足場１０の周囲外側を一枚又は複数枚で被覆可能な大きさの横長に形成される。
【００３４】
養生シート２０の内面（裏面でもある）の中央部２１から周縁部方向にかけては、図６に示すように、足場１０の複数の滑車１４に摺接する複数本（本実施形態では４本）の吊り上げベルト２２が放射状に縫着され、各吊り上げベルト２２の両端部２３が養生シート２０の周縁部から外方向にそれぞれ伸長される。
【００３５】
複数本の吊り上げベルト２２は、養生シート２０の内面対角線上にそれぞれ縫着される斜め一対の吊り上げベルト２２Ａと、この斜め一対の吊り上げベルト２２Ａを二分するよう養生シート２０の内面に縫着される一対の吊り上げベルト２２Ｂとを備え、これら２２Ａ・２２Ｂが養生シート２０の中央部２１で交差する。
【００３６】
各吊り上げベルト２２は、例えば強度に優れる強化ナイロン樹脂、ポリプロピレン樹脂、ポリエステル樹脂等により細長い帯形に形成され、養生シート２０の周縁部から外方向に伸長する端部２３の長さが必要に応じて調整される。この吊り上げベルト２２の端部２３には、操作用線条体である別のロープやワイヤが選択的に接続される。
【００３７】
養生シート２０の中央部２１は平面円形に開口形成され、養生シート２０の外面（表面でもある）には図１や図２に示すように、養生シート２０の開口した中央部２１に上方から対向する可撓性の傘シート２４が複数のスペーサ２５を介して縫着されており、傘シート２４内面の略中央部に支柱３０が下方から圧接することにより、養生シート２０の外面と傘シート２４との間に、養生シート２０の中央部２１に連通する通気口２６が区画形成される。
【００３８】
傘シート２４は、例えば養生シート２０と同じ材料により、養生シート２０の中央部２１よりもやや拡径の平面円形に形成され、支柱３０の下方からの圧接に伴い、断面略皿形に変形して養生シート２０の中央部２１内に外部から雨水や雪等が浸入するのを有効に防止する。また、複数のスペーサ２５は、養生シート２０の中央部２１周縁に沿うよう間隔をおいて周方向に配列形成される。各スペーサ２５は、例えば屈曲あるいは湾曲した吊り上げベルト２２や既存のベルト、各種のゴム等からなり、養生シート２０の中央部２１周縁と傘シート２４の周縁部とに縫着される。
【００３９】
なお、養生シート２０は、０．２５ｍｍ〜０．３５ｍｍの厚さを有することが好ましい（１ｍ３当たり／２７０ｇ）。また、建築現場における手作業を容易にするため、５０ｋｇ〜１５０ｋｇの範囲の質量であるのが望ましい。
【００４０】
支柱３０は、図１や図２に示すように、例えば足場１０を構成する複数本のパイプ１１の連結により構成されるとともに、建設予定地１と住宅２のいずれかに立設され、複数本の吊り上げベルト２２の交差部に隣接した状態で上端部３１が傘シート２４内面の略中央部に圧接して突き上げることにより、養生シート２０や傘シート２４の形が崩れるのを防止する。
【００４１】
支柱３０は、建設予定地１に住宅２が未だ建築されていない場合には、建設予定地１に立設され、建設予定地１に住宅２が建築されている場合には、建築途中の住宅２に立設される。この支柱３０の上端部３１は、傘シート２４内面の略中央部に直接圧接されるが、傘シート２４の形を断面略皿形に整え、傘シート２４の周縁部を下方に確実に傾斜させたい場合には、傘シート２４内面の略中央部に所定の大きさの円板３２を介し間接的に圧接される。
【００４２】
上記において、住宅２を養生シート２０で保護しながら新築する場合には、先ず、住宅２の建設予定地１に足場１０を組んで仮設し、この足場１０の水平方向外側に位置する複数本のパイプ１１の上端部に滑車１４をそれぞれ回転可能に配設し、足場１０内に梱包状態の一枚の養生シート２０を搬入して平面矩形に展開配置するとともに、この養生シート２０の位置を新築する住宅２の大きさに応じて調整し、足場１０と養生シート２０の四隅部を整合させる。
【００４３】
養生シート２０を平面矩形に展開したら、養生シート２０の周縁部から伸びている複数本の吊り上げベルト２２の端部２３を足場１０の滑車１４の嵌合溝１５にそれぞれ巻回して徐々に引っ張り、養生シート２０を吊り上げてその中央部２１を含む大部分を平面視で略矩形に形成し、この大部分以外の残部である周縁部を足場１０の水平方向外側に垂れ下げることにより、足場１０やその踏み板１２を外部から保護する。
【００４４】
この際、吊り上げベルト２２の端部２３の数に応じて足場１０の周囲外側に複数の人員を配置し、巻回した吊り上げベルト２２を同時に引っ張り操作しても良いが、作業員が少人数の場合には、作業員を順次配置し、滑車１４に吊り上げベルト２２を巻回して一箇所ずつ引っ張り操作しても良い。
【００４５】
また、作業員により養生シート２０の中央部２１を持ち上げながら養生シート２０の複数本の吊り上げベルト２２を滑車１４の嵌合溝１５にそれぞれ巻回し、養生シート２０を吊り上げても良い。また、各吊り上げベルト２２の端部２３が短い場合には、吊り上げベルト２２の端部２３にロープやワイヤを新たに接続し、これらを足場１０の滑車１４の嵌合溝１５にそれぞれ巻回して引っ張り、吊り上げベルト２２を滑車１４の嵌合溝１５に巻回しても良い。
【００４６】
なお、全パイプ１１の上端部に回転自在の滑車１４がそれぞれ装着される場合、大部分の滑車１４は、養生シート２０の吊り上げベルト２２ではなく、養生シート２０の内面に直接摺接して回転し、養生シート２０の円滑な吊り上げに資するよう機能する。
【００４７】
次いで、建設予定地１に支柱３０を立設し、この支柱３０の上端部３１を傘シート２４の内面中央部に下方から圧接して突き上げることにより、養生シート２０の外面と傘シート２４との間に、養生シート２０の中央部２１に連通する通気口２６を区画形成する。養生シート２０と傘シート２４との間に通気口２６を区画したら、養生シート２０の高さを調整し、養生シート２０の周縁部を足場１０のパイプ１１のフックに外側から固定すれば、住宅２を養生シート２０で保護しながら新築する準備を整えることができる（図１参照）。この際、各吊り上げベルト２２の端部を放置しておいても良いが、足場１０に固定金具により固定しても良い。
【００４８】
住宅建築の準備を整えたら、建設予定地１に基礎に打設して土台を敷設し、住宅２の一階部分、二階部分を順次構築し、その後、天井と屋根とを組めば、住宅２を新築することができる。この際、支柱３０が工事の邪魔にならないよう、住宅２の建築状況に応じて支柱３０をいったん取り外し、この支柱３０を住宅２の一階部分等に再度立設し、支柱３０の上端部３１を傘シート２４の内面略中央部に下方から再び圧接することにより、養生シート２０と傘シート２４との間に通気口２６を区画しても良い（図２参照）。
【００４９】
全ての作業が終了したら、足場１０のパイプ１１のフックに固定した養生シート２０の周縁部を順次取り外し、足場１０から養生シート２０を降ろし、梱包して運搬すれば良い。
【００５０】
上記によれば、建築途中の住宅２に複数数の養生シート２０を重ねて被覆するのではなく、一枚の養生シート２０を上方から被覆保護するので、被覆作業の迅速化が大いに期待でき、しかも、従来よりも作業の円滑化、簡素化、容易化を図ることができる。また、一枚の養生シート２０により被覆保護するので、隣接する養生シート２０の間から雨等が侵入して木材や断熱材、壁パネルに悪影響を及ぼし、これらの性能が低下するのを抑制防止することができる。
【００５１】
具体的には、土台、壁パネル、天井等を構成する木材が水分を吸収して寸法に狂いを生じたり、反りを招いたり、あるいは断熱材の熱伝導率が増大するおそれを有効に払拭することができる。また、住宅２の建設予定地１が狭い道等に面する場合には、狭い道をクレーン車が通行できないことがあるので、クレーン車により養生シート２０を吊り上げることができないが、建築に必要不可欠な足場１０を仮設して利用すれば、道の広狭にかかわらず、養生シート２０を確実に吊り上げることが可能になる。
【００５２】
また、住宅２の壁と足場１０との間に養生シート２０の周縁部が介在されたり、足場１０やその踏み板１２が太陽光、雨、風、雪等に晒されることがないので、建築作業に支障を来すおそれを有効に排除することが可能になる。また、住宅２と足場１０との間で作業する作業員が養生シート２０の周縁部をつたう雨や雪で濡れることがないので、建築作業の遅延等を招くおそれを有効に排除することが可能になる。
【００５３】
また、養生シート２０と傘シート２４との間に、養生シート２０の中央部２１に連通する通気口２６を区画し、養生シート２０の内外に空気を流通させるので、例え強風（図１や図２の矢印参照）が養生シート２０の下部から内部上方に侵入することにより、養生シート２０が暴れて体裁が悪化したり、温度差による結露を有効に防止することができる。また、足場１０の滑車１４に吊り上げベルト２２等を巻回して引っ張り操作するので、作業員の人数や労力の軽減が期待できる。
【００５４】
また、養生シート２０を専用の装置等により膨張させて展開するのではなく、手作業による吊り上げベルト２２の引っ張り操作により養生シート２０を展開するので、複雑高価な専用装置やコストを大幅に削減することができる。また、養生シート２０の一対の対角線上に吊り上げベルト２２を沿わせるので、養生シート２０を吊り上げる際、養生シート２０の大部分を平面略矩形に整え、建築する住宅２の上部を上方から有効に保護することができる。
【００５５】
また、薄い養生シート２０自体を操作するのではなく、丈夫な吊り上げベルト２２を操作するので、養生シート２０の破損を防止することが可能になる。さらに、養生シート２０の中央部２１付近で複数本の吊り上げベルト２２が交差し、強度を高めるので、開口した中央部２１から養生シート２０が裂けて損傷するのを防止することが可能になる。
【００５６】
なお、上記実施形態では足場１０の水平方向外側に位置するパイプ１１の上端部に滑車１４を配設したが、必要に応じ、足場１０の水平方向外側に位置する最上部の単管に滑車１４を配設しても良いし、足場１０の水平方向外側に位置するパイプ１１の上端部と最上部の単管とに滑車１４をそれぞれ配設しても良い。また、足場１０の水平方向外側に位置する最上部の単管に滑車１４をスライド可能に配設し、この滑車１４の嵌合溝１５を吊り上げベルト２２に位置合わせして摺接しても良い。
【００５７】
また、養生シート２０を吊持した後に住宅２を新築したが、何らこれに限定されるものではない。例えば、建設予定地１に足場１０を仮設してその上部に複数の滑車１４を支持させ、建設予定地１に基礎を設けた後、足場１０内に一枚の養生シート２０を搬入して平面矩形に展開配置しても良い。また、土台を設けた後、足場１０内に一枚の養生シート２０を搬入して平面矩形に展開配置することも可能である。
【００５８】
また、足場１０内に養生シート２０を搬入して展開した後、足場１０の上部に複数の滑車１４を取り付けることも可能である。また、滑車１４は、いずれのタイプでも良く、例えば複数のプーリを並べ備えたダブルタイプ等を採用することも可能である。さらに、養生シート２０に、各種の広告を印刷して広告媒体とすることも可能である。
【産業上の利用可能性】
【００５９】
本発明に係る建築物の建築装置及びその取扱方法は、建築や土木の分野で使用される。
【符号の説明】
【００６０】
１        建設予定地
２        住宅（建築物）
１０      足場
１１      パイプ
１３      接続パイプ
１４      滑車
１５      嵌合溝（溝）
２０      養生シート
２１      中央部
２２      吊り上げベルト（操作用線条体）
２２Ａ    吊り上げベルト（操作用線条体）
２２Ｂ    吊り上げベルト（操作用線条体）
２３      端部
２４      傘シート
２５      スペーサ
２６      通気口
３０      支柱
３１      上端部
３２      円板
【図１】
2014214451.tif 000003
【図２】
2014214451.tif 000004
【図３】
2014214451.tif 000005
【図４】
2014214451.tif 000006
【図５】
2014214451.tif 000007
【図６】
2014214451.tif 000008
【手続補正書】
【提出日】平成25年8月26日(2013.8.26)
【手続補正１】
【補正対象書類名】特許請求の範囲
【補正対象項目名】請求項１
【補正方法】変更
【補正の内容】
【請求項１】
建設予定地とそこに建築される建築物の周囲のいずれかに仮設される足場と、この足場を覆う養生シートと、この養生シートを支持する支柱とを備えた建築物の建築装置であって、
足場の上部に複数の滑車を間隔をおいて回転可能に支持させ、
養生シートを展開状態で平面矩形に形成するとともに、この養生シートの大きさを上方から足場を被覆可能な大きさとし、この養生シートの内面の略中央部から周縁部方向にかけて、足場の複数の滑車に接触する複数の操作用線条体を放射状に設け、
支柱を建設予定地と建築物のいずれかに立て設け、この支柱の上部を養生シートの内面に接触可能とし、
足場の複数の滑車に養生シートの操作用線条体を巻きかけて引っ張ることにより、養生シートを吊り上げて足場を上方から被覆し、足場の水平方向外側を養生シートの周縁部で被覆するようにしたことを特徴とする建築物の建築装置。
【手続補正２】
【補正対象書類名】明細書
【補正対象項目名】０００９
【補正方法】変更
【補正の内容】
【０００９】
本発明においては上記課題を解決するため、建設予定地とそこに建築される建築物の周囲のいずれかに仮設される足場と、この足場を覆う養生シートと、この養生シートを支持する支柱とを備えた装置であって、
足場の上部に複数の滑車を間隔をおいて回転可能に支持させ、
養生シートを展開状態で平面矩形に形成するとともに、この養生シートの大きさを上方から足場を被覆可能な大きさとし、この養生シートの内面の略中央部から周縁部方向にかけて、足場の複数の滑車に接触する複数の操作用線条体を放射状に設け、
支柱を建設予定地と建築物のいずれかに立て設け、この支柱の上部を養生シートの内面に接触可能とし、
足場の複数の滑車に養生シートの操作用線条体を巻きかけて引っ張ることにより、養生シートを吊り上げて足場を上方から被覆し、足場の水平方向外側を養生シートの周縁部で被覆するようにしたことを特徴としている。